(57)【特許請求の範囲】
【請求項１】
第１管及び第２管を有する脚を含有する撮影機器に使われる回転防止構造であって、
前記第２管の先端に当該第２管に対して相対的に回転しないように隣接して位置する端部キャップを含み、
前記端部キャップは、
縁部に切り欠き部がある略円板形状をしており、前記第２管の先端に隣接するように構成された端部板と、
均一な壁厚を有し、前記端部板の外周に沿って、前記端部板と接続する側壁とを含み、
前記側壁は、軸方向に延長された少なくとも一つのスリットを含み、
前記少なくとも一つのスリットは、前記脚の前記第１管にある内面に設けられた凸部のサイズに対応し、前記第１管と前記第２管とが結合する過程で、前記凸部が前記少なくとも一つのスリット内を移動可能であり、
前記少なくとも一つのスリットは、前記端部板の前記切り欠き部に連通し、
前記第１管と前記第２管とが結合する過程で、前記第１管のいずれの部分も、前記切り欠き部を通過して前記第２管の内部に入ることはない
ことを特徴とする撮影機器に使われる回転防止構造。
【請求項２】
前記端部キャップの前記端部板の中心部に開口部が形成されている
ことを特徴とする請求項１に記載の回転防止構造。
【請求項３】
前記端部キャップは前記側壁にある突出部を更に含み、前記突出部は前記第２管にある管貫通孔に係合する
ことを特徴とする請求項１に記載の回転防止構造。
【請求項４】
前記切り欠き部は前記端部キャップの前記端部板の前記外周の近くに形成されている
ことを特徴とする請求項１に記載の回転防止構造。
【請求項５】
前記少なくとも一つのスリットは前記端部板の切り欠き部まで延長されている
ことを特徴とする請求項１に記載の回転防止構造。
【請求項６】
第１管及び第２管を有する脚を含有する撮影機器に使われる回転防止構造であって、
前記第２管の先端に当該第２管に対して相対的に回転しないように隣接して位置する端部キャップを含み、    
前記端部キャップは、
縁部に切り欠き部がある略円板形状をしており、前記第２管の前記先端に隣接するように構成された端部板と、
均一な壁厚を有し、前記端部板の外周に沿って、前記端部板と接続する側壁とを含み、
前記側壁は、軸方向に延長された少なくとも一つの突出部を含み、
前記少なくとも一つの突出部は、前記脚の第２管にある側壁に設けられた穴のサイズに対応し、前記少なくとも一つの突出部が前記第１管と前記第２管とが結合した状態で前記穴に取り付けられ、
前記第１管と前記第２管とが結合する過程で、前記第１管のいずれの部分も、前記切り欠き部を通過しない
ことを特徴とする撮影機器に使われる回転防止構造。
【請求項７】
前記切り欠き部は前記端部キャップの前記端部板の前記外周の近くに形成されている
ことを特徴とする請求項６に記載の回転防止構造。
【請求項８】
前記端部キャップは前記側壁に沿う軸方向に延長されたスリットを更に含み、前記スリットは前記第１管の内面にある凸部に対するスライド経路を定義する
ことを特徴とする請求項６に記載の回転防止構造。
【請求項９】
前記端部キャップの前記端部板の中心部に開口部が形成されている
ことを特徴とする請求項６に記載の回転防止構造。
【請求項１０】
前記スリットは前記端部板の前記切り欠き部まで延長されている
ことを特徴とする請求項８に記載の回転防止構造。
【請求項１１】
自身の内面に軸方向に設けられた第１定義構造を含む第１管と、
前記第１管に適合する第２管と、
前記第２管の先端に隣接する回転防止構造とを含み、
前記回転防止構造は、
縁部に切り欠き部がある略円板形状をしており、前記第２管の先端に隣接するように構成された端部板と、
均一な壁厚を有し、前記端部板の外周に沿って前記端部板と接続する側壁と
を含み、
前記側壁は、前記側壁に沿って軸方向に延長された前記第１定義構造を受け入れる対応構造を含み、
前記第１管と前記第２管とが結合する過程で、前記第１管と前記第２管とは前記回転防止構造の前記対応構造及び前記第１定義構造に沿って相対的に移動可能であり、
前記対応構造は、前記端部板にある前記切り欠き部と連絡し、
前記第１管と前記第２管とが結合する過程で、前記第１管のいずれの部分も、前記切り欠き部を通過して前記第２管の内部に入ることはない
ことを特徴とする撮影装置用支持具構造の脚。
【請求項１２】
前記第１管と前記第２管とを接続する締結部材をさらに含み、
前記締結部材は、前記第１管の外面に設けられていて、自身の外面の一部にねじ山を有する内アダプタと、前記内アダプタの前記ねじ山を通して前記内アダプタと接続される外アダプタとを含む
ことを特徴とする請求項１１に記載の撮影装置用支持具構造の脚。
【請求項１３】
前記内アダプタは円錐状に近い形状を有する
ことを特徴とする請求項１２に記載の撮影装置用支持具構造の脚。
【請求項１４】
前記外アダプタに設けられた締付リングを更に含み、
前記締付リングは、前記回転防止構造が前記締付リングの位置に移動された際、前記回転防止構造が前記第２管からの脱出を防止する
ことを特徴とする請求項１２に記載の撮影装置用支持具構造の脚。
【請求項１５】
前記対応構造は前記端部板にある切り込みまで延長される
ことを特徴とする請求項１１に記載の撮影装置用支持具構造の脚。
【請求項１６】
前記第１定義構造は第１凸部を含む
ことを特徴とする請求項１１に記載の撮影装置用支持具構造の脚。
【請求項１７】
前記回転防止構造は前記側壁にある突出部を更に含み、前記突出部は前記第２管にある管貫通孔に係合する
ことを特徴とする請求項１１に記載の撮影装置用支持具構造の脚。
【請求項１８】
前記回転防止構造は前記側壁にある貫通孔を更に含み、前記貫通孔は前記第２管にある管突出部に係合する
ことを特徴とする請求項１１に記載の撮影装置用支持具構造の脚。
【請求項１９】
前記端部板の中心部に形成された開口部を有し、
前記切り欠き部は前記端部板の前記外周の近くに形成されている
ことを特徴とする請求項１１に記載の撮影装置用支持具構造の脚。
【発明の詳細な説明】
【技術分野】
【０００１】
本発明は、撮影装置用支持具に関する。具体的には、回転防止構造、管構造及び撮影装置用支持具に関する。
【背景技術】
【０００２】
写真撮影、例えば星の軌跡の撮影、水の流れの撮影、夜景の撮影、マクロ撮影等において、三脚はよく使われている。三脚は、趣味として撮影をする人や、プロのカメラマン等にとって重要であり、その主要な機能は、様々な撮影効果を得られるようにカメラを安定させることにある。
【０００３】
一般的には、三脚は、中軸と、中軸の外側に設置されている三本の脚を含む。又、撮影機材は中軸と接続され、中軸の高さを調整することによって、撮影機材の高さを調整する。既存の技術では、内径が徐々に減少する多数本の円柱管が、それぞれ相互に接続されて中軸を形成し、隣接する２つの円柱管同士の連結部分には締付部材が設置されている。隣接する２つの円柱管の間の長さを延長や短縮する場合、締付部材を緩めて、円柱管に力を作用させることで円柱管を上下動させる。
【発明の概要】
【発明が解決しようとする課題】
【０００４】
しかしながら、円柱管を引っ張る時、力には差異がある為、円柱管にトルクが生じやすくなり、隣接する円柱管と円柱管との間に相対的な回転が発生する。従って、撮影機材について言えば、構図を定めた後、構図に変化が生じることを防ぐために、撮影機材が水平方向に回転しないように確保することが必要となる。
【０００５】
従って、本発明が解決しようとする課題は、現行の撮影機材に接続される三脚が、長さを変更する際に回転し易い問題を解消することである。
【課題を解決するための手段】
【０００６】
本発明は上記従来技術の有する問題に鑑みて創出されたものであり、上記の課題を解決する為、本発明は、第１管及び第２管を有する脚を含有する撮影機器に使われる回転防止構造であって、前記第２管の先端と噛み合うように構成された端部キャップを含み、前記端部キャップは、貫通して形成された開放部を有し、前記第２管の先端に隣接するように構成された端部板と、前記端部板の外周に沿って、前記端部板と接続する側壁とを含み、前記側壁は、軸方向に延長された少なくとも一つのスリットを含み、前記少なくとも一つのスリットは、前記脚の前記第１管にある内面に設けられた凸部のサイズに対応し、前記第１管と前記第２管とがお互いに結合する際、前記凸部が前記少なくとも一つのスリットに沿って移動し、前記少なくとも一つのスリットは、前記端部板にある前記開放部と連絡し、前記第１管と前記第２管とがお互いに結合する際、前記第１管の全てが前記開放部を通過して前記第２管の内部に入ることはないことを特徴とする撮影機器に使われる回転防止構造を提供する。
【０００７】
好ましくは、前記開放部は前記端部キャップの前記端部板の中心部に形成されている。
【０００８】
好ましくは、前記端部キャップは前記側壁にある突出部を更に含み、前記突出部は前記第２管にある管貫通孔に係合する。
【０００９】
好ましくは、前記開放部は前記端部キャップの前記端部板の前記外周の近くに形成されている。
【００１０】
好ましくは、前記少なくとも一つのスリットは前記端部板にある切り込みまで延長される。
【００１１】
また、本発明は、第１管及び第２管を有する脚を含有する撮影機器に使われる回転防止構造であって、前記第２管の先端と噛み合うように構成された端部キャップを含み、前記端部キャップは、貫通して形成された開放部を有し、前記第２管の前記先端に隣接するように構成された端部板と、前記端部板の外周に沿って、前記端部板と接続する側壁とを含み、前記側壁は、軸方向に延長された少なくとも一つの突出部を含み、前記少なくとも一つの突出部は、前記脚の第２管にある側壁に設けられた穴のサイズに対応し、前記少なくとも一つの突出部が前記第１管と前記第２管とがお互いに結合する際に前記穴に取り付けられ、前記第１管と前記第２管とがお互いに結合する際、前記第１管の全ては前記開放部を通過しないことを特徴とする撮影機器に使われる回転防止構造を提供する。
【００１２】
好ましくは、前記開放部は前記端部キャップの前記端部板の前記外周の近くに形成されている。
【００１３】
好ましくは、前記端部キャップは前記側壁に沿う軸方向に延長されたスリットを更に含み、前記スリットは前記第１管の内面にある凸部に対するスライド経路を定義する。
【００１４】
好ましくは、前記開放部は前記端部キャップの前記端部板の中心部の近くに形成されている。
【００１５】
好ましくは、前記スリットは前記端部板にある切り込みまで延長される。
【００１６】
また、本発明は、自身の内面に軸方向に設けられた第１定義構造を含む第１管と、前記第１管に適合する第２管と、前記第２管の先端に隣接する回転防止構造とを含み、前記回転防止構造は、貫通して形成された開放部を有し、前記第２管の先端に隣接するように構成された端部板と、前記端部板の外周に沿って前記端部板と接続する側壁とを含み、前記側壁は、前記側壁に沿って軸方向に延長された前記第１定義構造を受け入れる対応構造を含み、前記第１管と前記第２管とがお互いに結合する際、前記第１管と前記第２管とは前記回転防止構造の前記対応構造及び前記第１定義構造に沿って相対的に移動し、前記対応構造は、前記端部板にある前記開放部と連絡し、前記第１管と前記第２管とがお互いに結合する際、前記第１管の全てが前記開放部を通過して前記第２管の内部に入ることはないことを特徴とする撮影装置用支持具構造の脚を提供する。
【００１７】
好ましくは、撮影装置用支持具構造の脚は、前記第１管と前記第２管とを接続する締結部材をさらに含み、前記締結部材は、前記第１管の外面に設けられていて、自身の外面の一部にねじ山を有する内アダプタと、前記内アダプタの前記ねじ山を通して前記内アダプタと接続される外アダプタとを含む。
【００１８】
好ましくは、前記内アダプタは円錐状に近い形状を有する。
【００１９】
好ましくは、前記内アダプタの縮小された外周は前記回転防止構造に向かって配置される。
【００２０】
好ましくは、撮影装置用支持具構造の脚は、前記外アダプタに設けられた締付リングを更に含み、前記締付リングは、前記回転防止部が前記締付リングの位置に移動された際、前記回転防止部が前記第２管からの脱出を防止する。
【００２１】
好ましくは、前記対応構造は前記端部板にある切り込みまで延長される。
【００２２】
好ましくは、前記第１定義構造は第１凸部を含む。
【００２３】
好ましくは、前記回転防止構造は前記側壁にある突出部を更に含み、前記突出部は前記第２管にある管貫通孔に係合する。
【００２４】
好ましくは、前記回転防止構造は前記側壁にある貫通孔を更に含み、前記貫通孔は前記第２管にある管突出部に係合する。
【００２５】
好ましくは、前記開放部は、前記端部キャップの前記端部板の中心部に、又は前記端部板の前記外周の近くに、形成されている。
【発明の効果】
【００２６】
本発明の実施形態により、以下の利点を有する。
【００２７】
１．本発明に係る回転防止構造は、頂部に長手方向に沿って少なくとも一本の第１凹部又は第１凸部が形成されている第１管と、前記第１管に接続され、外壁には前記第１凹部又は第１凸部に対応する第２凸部又は第２凹部が形成されている第２管とを含み、前記第１管と前記第２管とが相対運動を行った場合、前記第１凸部又は前記第２凸部が前記第２凹部又は前記第１凹部に対して摺動する。現在の技術では、円柱管を引っ張る時、力には差異がある為、円柱管にトルクが生じやすくなり、隣接する円柱管と円柱管との間に相対的な回転が発生する。
【００２８】
本発明では、第１管と第２管とが相対運動を行った場合、凹部はその中で凸部が摺動することを制限し、凹部の制限によって、第１管と第２管とが相対的に回転することを効果的に防止できる。従って、第１管と第２管とが直線に沿って相対運動するよう確保される。
【００２９】
２．本発明に係る回転防止構造は、前記第２管の頂部に回転防止部が設置されており、前記第２凸部又は前記第２凹部が前記回転防止部に設置されている。前記回転防止部によって、凸部又は凹部が壊れた場合、回転防止部をすぐに交換することで対応でき、便利且つ効率的である。
【００３０】
３．本発明に係る回転防止構造について、前記第２管には前記回転防止部と対応する位置に第１貫通孔が形成されており、前記回転防止部には前記第１貫通孔と係合する第１突出部が形成されている。突出部と貫通孔との係合によって、第２管と回転防止部との接続安定性を向上させる。
【００３１】
４．本発明に係る回転防止構造について、前記締結部材は、前記第１管の外壁に設けられていて、先細状に形成された外壁にねじ山を有する内アダプタと、ねじ山を介して前記内アダプタに螺合接続される外アダプタとを含む。
【００３２】
第１管と第２管との接続を緩める場合、外アダプタを回転させる。内アダプタが先細状の為、外アダプタが内アダプタから離脱するに従い、外アダプタの内アダプタに対する締め付け力が弱くなり、離脱させやすくなる。
【００３３】
５．本発明に係る回転防止構造について、前記締結部材は、前記外アダプタに設けられている締付リングを更に含む。前記締付リングは、前記回転防止部が前記締付リングの位置に移動すると、前記回転防止部が前記第２管から完全に離脱するのを防止する。
【００３４】
第１管と第２管との間に離脱動作が行われた場合、第２管にある回転防止部が締付リングの位置に移動すると、締付リング自体が第２管に固定されている為、締付リングによって回転防止部が完全に離脱することを阻止する。
【図面の簡単な説明】
【００３５】
本発明の実施形態又は従来技術の技術手段をより詳しく説明するため、具体的な実施形態又は従来技術を説明する際に用いる図面を以下の通り簡単に説明する。なお、下記に記載された図面は本発明の実施形態を示すものであり、当業者は、創造的な労働を経ずして、これらの図面に基づいて他の図面を得ることができる。
【００３６】
【図１】本発明の回転防止構造の第１管と第２管との接続を示す図である。
【図２】本発明の回転防止構造の回転防止部と第２管との接続を示す図である。
【図３】本発明の回転防止構造の締結部材を分解した分解斜視図である。
【発明を実施するための形態】
【００３７】
以下、図面を参照しながら本発明の実施形態を詳細に説明する。但し、以下の実施例で示す各構成要素は本発明の一例であり、全ての実施例ではない。本発明の実施例に基づいて当業者が創造的な労働を経ずして得られる他の全ての実施例も本発明の範囲に含まれる。
【００３８】
本発明の説明において、「中心」、「上」、「下」、「左」、「右」、「垂直」、「水平」、「内」、「外」等によって示された方位や位置は、図面に基づいた方向や位置であって、本発明をわかり易く説明するためのものに過ぎず、その方向や位置に係る装置や要素が必ず特定の方向を向くことや、特定の方向で構成されたり操作されたりすることを意味又は暗示しているわけではなく、本発明を限定するものではない。また、本発明で使われている「第１」、「第２」、「第３」といった用語も、説明の便宜上用いるものに過ぎず、相対的な重要度を意味又は暗示するものではない。
【００３９】
本発明の説明において、特に明確に規定及び限定しない限り、「設ける」、「連通する」、「接続する」等の用語は、広義に解釈すべきである。例えば「接続する」の場合、固定接続、取り外し可能な接続、若しくは一体的な接続のいずれに解釈されてもよく、機械的接続又は電気的接続のいずれに解釈されてもよい。また、「連通する」の場合、直接的な連通、中間媒介を通じた間接的な連通、若しくは二つの素子の内部の連通のいずれに解釈されてもよい。当業者は、具体的な状況によって上記用語の本発明における具体的な意味を理解できる。
【００４０】
なお、以下に記載された本発明の異なる実施例に係る技術特徴は、お互いに矛盾しない場合は相互に結合できる。
【００４１】
（実施例１）
本発明は、図１に示すように、頂部に長手方向に沿って少なくとも一本の第１凸部１１が形成されている第１管１と、前記第１管１に接続され、外壁には前記第１凸部１１に対応する第２凹部２１が形成されている第２管２とを含み、前記第１管１と前記第２管２とが相対運動を行った場合、前記第１凸部１１が前記第２凹部２１に対して摺動する回転防止構造を提供する。
【００４２】
変形例として、凸部と凹部との位置を入れ替えてもよい。具体的には、前記第１管１に第１凹部が形成されており、前記第２管２に第１凹部と対応する第２凸部が形成されていてもよい。
【００４３】
先行技術では、円柱管を引っ張る時、力には差異がある為、円柱管にトルクが生じやすくなり、隣接する円柱管と円柱管との間に相対的な回転が発生する。
【００４４】
本実施例では、第１管１と第２管２とが相対運動を行った場合、凹部はその中で凸部が摺動することを制限し、凹部の制限によって、第１管１と第２管２とが相対的に回転することを効果的に防止でき、第１管１と第２管２とが直線に沿って相対運動するよう確保される。
【００４５】
本実施例では、図２に示すように、前記第２管２の頂部に回転防止部５が設置されており、前記第２凸部又は前記第２凹部が前記回転防止部５に設置されている。
【００４６】
前記回転防止部５によって、凸部又は凹部が壊れた場合、回転防止部５をすぐに交換することで対応でき、便利且つ効率的である。
【００４７】
具体的には、前記回転防止部５は前記第２管２に設けられる。前記第１管１には前記回転防止部５と対応する位置に第１貫通孔６が形成されており、前記回転防止部５には前記第１貫通孔６と係合する第１突出部７が形成されている。第１突出部７と第１貫通孔６との係合によって、第１管１と回転防止部５との接続安定性を向上させる。
【００４８】
変形例として、前記第２管２には前記回転防止部５と対応する位置に第２突出部が形成されており、前記回転防止部５には前記第２突出部と係合する第２貫通孔が形成されている。
【００４９】
本実施例では、図３に示すように、前記第２管２には締結部材８が設けられており、前記締結部材８によって前記第２管２と前記第１管１とが締結接続される。
【００５０】
具体的には、前記締結部材８は、前記第２管２の外壁に設けられていて、先細状に形成された外壁にねじ山を有する内アダプタ８１と、ねじ山を介して前記内アダプタ８１に螺合接続される外アダプタ８２とを含むと共に、外アダプタ８２の外側にアダプタスリーブ８４が設けられ、使用感を向上させる。
【００５１】
第１管１と第２管２との接続を緩める場合、外アダプタ８２を回転させる。内アダプタ８１が先細状の為、外アダプタ８２が内アダプタ８１から離脱するに従い、内アダプタ８１への締め付け力が弱くなり、離脱させやすくなる。
【００５２】
同時に、前記締結部材８は、前記外アダプタ８２に設けられている締付リング８３を更に含む。前記締付リング８３は、前記回転防止部５が前記締付リング８３の位置に移動すると、前記回転防止部５が前記第２管２から完全に離脱するのを防止する。第１管１と第２管２との間で離脱動作が行われた場合、第２管２ にある回転防止部５が締付リング８３の位置に移動すると、締付リング８３自体が第２管２に固定されている為、締付リング８３によって回転防止部５が完全に離脱することを阻止する。
【００５３】
具体的には、前記内アダプタ８１は接着剤によって前記第２管２の下端に固定されており、前記締付リング８３は前記内アダプタ８１に固定されている。
【００５４】
（実施例２）
本実施例は、実施例１に記載の前記回転防止構造を少なくとも二つ含み、隣接する二つの前記回転防止構造のうち、一方の回転防止構造の第２管２が他方の回転防止構造の第１管１の外壁に接続されている管構造を提供する。
【００５５】
（実施例３）
本実施例は、実施例２に記載の管構造を少なくとも一つ含む撮影装置用支持具を提供する。
【００５６】
以上の実施例は明確に説明するため挙げた例に過ぎず、本発明の実施形態を制限するものではない。当業者は、上記実施形態に基づいて様々な変更を施してもよい。ここでは、全ての実施形態を例示することはできない。但し、明らかに本発明の範囲や効果を実質的に逸脱しない範囲で行われた様々な変更は、本発明の保護範囲内に含まれる。
【００５７】
出願当初の特許請求の範囲を以下に付記する。
[請求項１］
頂部に長手方向に沿って少なくとも一本の第１凹部又は第１凸部（１１）が形成されている第１管（１）と、
前記第１管（１）に接続され、外壁には前記第１凹部又は第１凸部（１１）に対応する第２凸部又は第２凹部（２１）が形成されている第２管（２）と、
を含み、
前記第１管（１）と前記第２管（２）とが相対運動を行った場合、前記第１凸部（１１）又は前記第２凸部が前記第２凹部（２１）又は前記第１凹部に対して摺動する
ことを特徴とする回転防止構造。
[請求項２］
前記第２管（２）の頂部に回転防止部（５）が設置されており、前記第２凸部又は前記第２凹部（２１）が前記回転防止部（５）に設置されている
ことを特徴とする請求項１に記載の回転防止構造。
[請求項３］
前記回転防止部（５）は前記第２管（２）に設けられている
ことを特徴とする請求項２に記載の回転防止構造。
[請求項４］
前記第２管（２）には前記回転防止部（５）と対応する位置に第１貫通孔（６）が形成されており、前記回転防止部（５）には前記第１貫通孔（６）と係合する第１突出部（７）が形成されている
ことを特徴とする請求項３に記載の回転防止構造。
[請求項５］
前記第２管（２）には前記回転防止部（５）と対応する位置に第２突出部が形成されており、前記回転防止部（５）には前記第２突出部（７）と係合する第２貫通孔が形成されている
ことを特徴とする請求項３に記載の回転防止構造。
[請求項６］
前記第１管（１）には締結部材（８）が設けられており、前記締結部材（８）によって前記第２管（２）と前記第１管（１）とが締結接続される
ことを特徴とする請求項２〜５のいずれか１項に記載の回転防止構造。
[請求項７］
前記締結部材（８）は、
前記第１管（１）の外壁に設けられていて、先細状に形成された外壁にねじ山を有する内アダプタ（８１）と、
ねじ山を介して前記内アダプタ（８１）に螺合接続される外アダプタ（８２）と、
を含む
ことを特徴とする請求項６に記載の回転防止構造。
[請求項８］
前記締結部材（８）は、前記外アダプタ（８２）に設けられている締付リング（８３）を更に含み、
前記締付リング（８３）は、前記回転防止部（５）が前記締付リング（８３）の位置に移動すると、前記回転防止部（５）が前記第２管（２）から完全に離脱するのを防止する
ことを特徴とする請求項７に記載の回転防止構造。
[請求項９］
請求項１〜８のいずれか１項に記載の回転防止構造を少なくとも二つ含み、
隣接する二つの前記回転防止構造のうち、一方の回転防止構造の第２管（２）が他方の回転防止構造の第１管（１）の外壁に接続されている
ことを特徴とする管構造。
[請求項１０］
請求項９に記載の管構造を少なくとも一つ含む
ことを特徴とする撮影装置用支持具。
【符号の説明】
【００５８】
１    第１管
２    第２管
５    回転防止部
６    第１貫通孔
７    第１突出部
８    締結部材
１１    第１凸部
２１    第２凹部
８１    内アダプタ
８２    外アダプタ
８３    締付リング
８４    アダプタスリーブ
【図１】
0006771044.tif 000002
【図２】
0006771044.tif 000003
【図３】
0006771044.tif 000004